(57)【要約】【課題】通常手洗いしている衣類を洗面器で簡易的に分け洗いするニーズは強いが、分け洗い用の小型洗濯機を使用しようとするとスペースをとる。また、スペースを取らないように洗面器で衣類を洗う機能を付加しようとすると、洗面器としての通常使用に不備が生じたり回転翼等を設ける必要があり、清掃性や意匠性等の問題がでてくる。【解決手段】洗面ボールに衣類と水をため、気泡混入水を吹き込むことにより、衣類を回転する力と、衣類を浮かす２つの効果で、回転翼等の通常使用に不備が生じる付属品を使用することなく、スペースを取らずに分け洗い機能を有する洗面器を提供することができる。【選択図】  図１
2004283282.tif 000002
【特許請求の範囲】
【請求項１】
洗浄水を貯留する洗面ボールとオーバーフロー水を排水するオーバーフロー口と、洗浄水を循環させるポンプと、洗浄水に気泡を混入する気泡混入手段と、ポンプにより循環される洗浄水を吐水する吐水口を備えた洗面器であって、前記吐水口は、前記オーバーフロー口より下部であり、かつ吐水により洗浄水が洗面ボール内を回転するように設けられたことを特徴とする洗面器。
【請求項２】
前記吐水口が、前記洗面ボールの略円周方向に沿って、あるいは略円周方向に沿って、かつ下向きに設けられたことを特徴とする請求項１記載の洗面器
【請求項３】
前記洗浄水を吐水する吐水口を有し、前記気泡混入部は前記ポンプより吐水口側に設けたことを特徴とする請求項１または２記載の洗面器
【請求項４】
前記ポンプ循環開始後、規定時間ごとに、前記ポンプを反転させることを特徴とする請求項１記載の洗面器
【請求項５】
前記洗浄水を吐水する吐水口と前記洗浄水を吸引する吸引口は、略逆方向に設けられていることを特徴とする請求項４記載の洗面器
【請求項６】
前記洗浄水を吐水する吐水口を少なくとも２つ有することを特徴とする請求項１記載の洗面器
【請求項７】
電磁弁を有し、前記ポンプ循環開始後、規定時間ごとに、吐水に利用する吐水口を切り替えることを特徴とする請求項６記載の洗面器
【請求項８】
前記ポンプ循環開始後、規定時間ごとに、気泡混入率を変動させることを特徴とする請求項２記載の洗面器
【請求項９】
前記洗面ボールに少なくとも１つの凸部を設けたことを特徴とする請求項１記載の洗面器あるいは洗面化粧台
【請求項１０】
前記ポンプを間欠運転することを特徴とする請求項１記載の洗面器
【請求項１１】
前記洗面ボールに溜まった洗浄水を循環する循環経路に少なくとも１対の電極を設け、前記洗浄水を電気分解することを特徴とする請求項１記載の洗面器
【請求項１２】
前記吸引口と前記ポンプの間あるいは前記吐水口と前記ポンプの間に前記洗浄水の給水口あるいは排水口を備えたことを特徴とする請求項１記載の洗面器
【発明の詳細な説明】
【０００１】
【発明の属する技術分野】
本発明は、洗面器で簡易的に衣類を洗浄することが可能な洗面器あるいは洗面ユニットに関するものである。
【０００２】
【従来の技術】
従来、家庭においては、汚れのひどい衣類例えば泥で汚れた靴下や、血液汚れ等は洗濯機にそのまま入れたくないなどの理由から洗面器を利用して手洗いを行っていた。また、逆に汚れがあまり付着していない衣類例えばハンカチ等も他の汚れた衣類と一緒に洗いたくない等の理由から洗面器で手洗いを行っていた。このように、洗面器での手洗いは日常的に行われており、主婦にとっては多くの家事労働が自動化に進んでいる中、大きな負荷となっている。そのため、通常利用する洗濯機とは異なる小型の洗濯機を２台目の洗濯機として利用し、分け洗いを行う等しており、実際分け洗いを目的とした洗濯機が市販されている。また、洗面化粧台のキャビネット部分に洗濯機を内蔵し、洗濯機用の蓋と洗面器の底面を共有可能とすることが開示されている（例えば特許文献１参照）。
【０００３】
気泡のはじける際に発生する超音波により洗浄性を向上させるために気泡混入水を上方から吐水することが可能となっている洗濯機も開示されている（例えば特許文献２参照）。
また、キッチン用洗浄機に気泡を発生させて洗浄させることも開示されている（例えば特許文献３参照）。
【０００４】
【特許文献１】特開平１０−２３９８７号
【特許文献２】特開２００２−１８１８９号
【特許文献３】特開平９−１０８１５８号
【０００５】
【発明が解決しようとする課題】
しかし、小型の洗濯機を２台目洗濯機として分け洗い専用に持つとすると、スペースをとる問題がある。スペースというのは家庭において重要な問題である。そのため、家庭の主婦は収納を確保するために努力をしている。
【０００６】
できるだけスペースを取らずに分け洗いできる洗濯機として脱水機能を無くし、給排水を手動で行うといった洗濯機も知られている。しかし、給排水を手動で行おうとすると、洗面所等の狭いスペースではいくら小型化していても洗濯機に給水することができないため、浴室等の広い場所に洗濯機自体を運び給排水する必要があり非常に面倒であった。
【０００７】
特許文献１記載のように洗面化粧台部分に洗濯機を内蔵することで、上記のような給排水の手間を省くことは可能である。しかし、一般家庭においてキャビネット部分は主に収納に活用されており、やはりスペースを取る問題の解決にはならなかった。また、洗面器は通常滑らかな曲線状で成形されているため、例え汚れが付着しても清掃性が高いという利点があったが、シンク底面に洗濯機開口を設けているため、開閉される部分に溝ができ、汚れが溜まるといった衛生面の問題があった。また、見た目の印象が悪いといった意匠性の問題もあった。また、洗面器に洗濯機のような回転翼を設ける可能ではあるが、同様に衣裳性、衛生性の問題や、洗面器底面に回転翼を設けると通常洗面器の排水口は洗面器底面に設けられているため、水を排水することが困難であったり、洗顔や歯磨きなどの通常使用の際邪魔であるといた問題がある。
【０００８】
一方、特許文献２での気泡混入は衣類の洗浄性の向上を目的としている。もともと洗濯を目的とした装置であるため、衣類を回転させる方法は回転翼等様々な手段がある。そのため、衣類を回転させること自体は課題では無く、気泡混入水は上方から吐水されている。
【０００９】
特許文献３での気泡混入も洗浄性の向上を目的としている。また、水流で回転される羽根を有する回転体を備え、その回転体に載って被洗浄物を収容しつつ回転する回転かごを備えた形態が開示されているが、洗面器にそのような回転体を設けることは通常の使用の邪魔になる。
【００１０】
そこで本発明は洗面器のボール面を利用することで余分なスペースをほとんど取ることなく、衣類を分け洗いすることが可能であり、さらに通常洗面や歯磨きに使用する洗面ボールを使用するのに邪魔になるような回転翼等の回転手段を設ける必要の無い洗面器を提供する。
【００１１】
【課題を解決するための手段および作用・効果】
上記課題を解決するためになされた本発明は、洗浄水を貯留する洗面ボールとオーバーフロー水を排水するオーバーフロー口と、洗浄水を循環させるポンプと、洗浄水に気泡を混入する気泡混入手段と、ポンプにより循環される洗浄水を吐水する吐水口を備えた洗面器であって、前記吐水口は、前記オーバーフロー口より下部であり、かつ吐水により洗浄水が洗面ボール内を回転するように設けられたことを特徴とする。
【００１２】
本発明によれば、水を洗面ボールに気泡混入水を吐水することで、気泡混入水による水流ができ、水流は衣類を押す力、気泡は衣類を浮かせる力となり、衣類の回転力ができる。また、洗面ボールに水を溜めると、最も水が溜まった状態ではオーバーフロー口ぎりぎりまで溜めることができるため、オーバーフロー口より下部に吐水口が設けられていることで、吐水口は水没しているため、水流と気泡が横から衣類に当たり、衣類を効率的に回転させることができる。このようにして、気泡が混入した水を吐水することで衣類を押す力と、気泡により衣類を浮かせる効果の相乗効果で洗濯機のような回転翼がなくても衣類を回転させることができ、洗面器として洗顔や、歯磨きの等の通常利用時は邪魔であったり、意匠性が悪い等の問題がなく、衣類を自動で洗浄することができる。
【００１３】
また、本発明の好ましい態様においては、前記吐水口が、前記洗面ボールの略円周方向に沿って、あるいは略円周方向に沿って、かつ下向きに設けられたことを特徴とする。
【００１４】
洗面ボールの円周方向に気泡混入水を吐水することで、回転速度を高めることができる。また下向きにすることで衣類の下部に気泡を行き渡らせ、衣類を浮かせる効果を確実に発揮させられる。具体的には、吐水口を洗面器の壁面に設けたときに、水流が壁に沿うように設けるとボールの略円周方向に沿って設けたことになる。吐水口はこれよりも１０°程度内側に向けて設けてもよい。
【００１５】
また、本発明の好ましい態様においては、前記洗浄水を吐水する吐水口を有し、前記気泡混入部は前記ポンプより吐水口側に設けたことを特徴とする。
【００１６】
本態様によれば、ポンプに気泡が巻き込まれ、エアがみすることによる騒音と吐水性能の低下を防止すると共に、吐水口付近で気泡を混入することで、気泡が消失することなく、吐水することが可能となり、確実に洗面ボール内で衣類を回転、洗浄することができる。
【００１７】
また、本発明の好ましい態様においては、前記ポンプ循環開始後、規定時間経過ごとに、前記ポンプを反転させることを特徴とする。
【００１８】
本態様によれば、ポンプを反転させた時に通常吸引口であるところが吐水口となり、通常吐水口であるところが吸引口となるため、反転することで、衣類の回転を乱すことができ、洗浄性能をより高めることができる。
【００１９】
また、本発明の好ましい態様においては、前記洗浄水を吐水する吐水口と前記洗浄水を吸引する吸引口は、略逆方向に設けられていることを特徴とする。
【００２０】
本態様によれば、ポンプを反転させた時に衣類の回転方向を変えることあるいは回転方向は同じでも衣類の回転を乱すことが可能となる。そのため、衣類が複雑に動き、その時の衣類同士の接触やボール面との接触により、より洗浄性を高めることができる。
【００２１】
また、本発明の好ましい態様においては、前記洗浄水を吐水する吐水口を少なくとも２つ有することを特徴とする。
【００２２】
本態様によれば、１方向のみの吐水では衣類が常に同じ方向に回転するのに対し、一方を異なる方向に吐水することで衣類が２方向に回転する力が与えられ、衣類ごとに異なる方向に回転しようとするため、衣類が上下左右に複雑に動き、その時の衣類同士の接触やボール面との接触により、より洗浄性を高めることができる。
【００２３】
また、本発明の好ましい態様においては、電磁弁を有し、前記ポンプ循環開始後、規定時間ごとに、吐水に利用する吐水口を切り替えることを特徴とする。
【００２４】
本態様によれば、１つの吐水口における吐水流量を下げることなく、衣類の回転を乱すことができる。
【００２５】
また、本発明の好ましい態様においては、気泡混入率を変動させることを特徴とする。
【００２６】
本態様によれば、気泡混入率を変動させることにより、気泡の混入が多い時は衣類が浮き、気泡の混入が少ない時、あるいは気泡の混入がない時は衣類が沈むため、衣類の回転を乱すことができる。
【００２７】
また、本発明の好ましい態様においては、前記洗面ボールに少なくとも１つの凸部を設けたことを特徴とする。
【００２８】
本態様によれば、衣類がボール面の凸部接触時に回転が不規則になることによる、衣類同士の接触やボール面との接触によることと、実際に凸部との接触による２つの効果で洗浄性を高めることができる。
【００２９】
また、本発明の好ましい態様においては、前記ポンプを間欠運転することを特徴とする。
【００３０】
衣類洗浄時には通常洗剤を投入するため、ポンプにより洗浄水を循環させると泡立ちが泡立ちが激しく、エアがみすることによって、ポンプ性能が悪くなってしまうため、間欠運転することにより、泡立ちを最小限に押さえることができる。あるいは間欠運転することにより、衣類の回転が均一でなく複雑になるため、その時の衣類同士の接触やボール面との接触により、より洗浄性を高めることができる。
【００３１】
また、本発明の好ましい態様においては、前記洗面ボールに溜まった洗浄水を循環する循環経路に少なくとも１対の電極を設け、前記洗浄水を電気分解することを特徴とする。
【００３２】
洗浄水を電気分解することにより、次亜塩素酸が生成する。この次亜塩素酸は非常に酸化力が強く、漂白作用があるため、通常洗剤では落ちにくい汚れ例えばワイシャツの襟袖汚れや、血液汚れなども落すことが可能となる。
【００３３】
また、本発明の好ましい態様においては、前記吸引口と前記ポンプの間あるいは前記吐水口と前記ポンプの間に前記洗浄水の給水口あるいは排水口を設けたことを特徴とする。
【００３４】
本発明によれば、洗面器として利用する時に使用する通常の水栓から、給水する、あるいは通常の排水口から排水しないことで、簡易な構造で給水、排水する自動制御を行うことが可能となる。
【００３５】
【発明の実施の形態】
本発明の第一の実施形態について添付図面を用いて詳細に説明する。図１において１は洗面化粧台、２は鏡、３はキャビネット、４は洗面器、１００は選択スイッチである。図２は図１の洗面化粧台の洗面器部分を抜き出した図であり、５は吐水口、６は吸引口、７はオーバーフロー口、８は排水口、９は排水管である。図３は図２の洗面器の断面図であり、１０はポンプ、１１は気泡混入部である。図４は洗浄水の循環経路の拡大図である。
【００３６】
利用者が分け洗いしたい衣類と洗剤を洗面器４に投入し、選択スイッチ１００を押すと、排水口８は栓をされ、洗面器４に給水される。この時、給水は、吐水口５からでもよく、洗顔、歯磨きなど通常利用時に利用する図示されていない水栓からでも良い。その後、図示されていない水位センサーにより規定水位に達したと判断すると、給水を止める。また、通常水量が多いほど、衣類を回転させやすく、洗浄性が上がるため、洗面器のオーバーフロー口７まで給水するのが望ましい。給水終了後ポンプ１０を駆動し、洗面器４内の水を吸引口６から吸引し、循環させる。気泡混入部１１を通過する時に洗浄水に気泡が混入され、吐水口５からは気泡混入水が吐水させることで、洗面器４内に投入された衣類は勢い良く回転する。規定時間経過後、排水口８を開栓することで、洗面器４内に溜まった洗浄水を排水する。
【００３７】
このように、気泡混入水をオーバーフロー口より下部つまり洗浄水中から吐水させることで、衣類を浮かせる効果と、水圧を高める効果で、衣類を効果的に回転させ、洗浄することが可能となり、新たにスペースを取ることなく分け洗いを行うことができる。また、洗面器の構成においても、洗面ボール自体には吐水口５と吸引口６を設けているのみであり、洗面器として、洗顔や、歯磨きを行うのにも邪魔にならず、意匠性が悪くなる問題もない。
【００３８】
以上の洗浄を洗浄からすすぎまで自動制御で行う動作フローについて図５のフローチャートを用いて説明する。まず利用者が洗濯モードを選択すると（Ｓ１）、１回目の洗浄工程が開始する（Ｓ２）。洗浄が開始するとすぐに、電磁弁を駆動させることにより、排水口に栓をし（Ｓ３）、洗浄水を給水する（Ｓ４）。洗浄水を図示されていない水位センサーにより、規定量給水後給水を停止し、循環ポンプ動作を開始する（Ｓ５）と同時にカウンタをスタートさせる（Ｓ６）。カウンタがタイムアップするまで循環ポンプを作動し（Ｓ７）、タイムアップしたら電磁弁を制御することにより、開栓し排水する（Ｓ８）。排水後、同様の洗浄工程を複数回行い、（Ｓ９）衣類に付着した洗剤をよく洗い流し、洗浄を終了する（Ｓ１０）。また、以上のような工程を手動で行うようにすることも可能である。例えば利用時に衣類と洗剤を投入し、手動で栓をし、規定量まで給水後、洗濯モード選択スイッチを押すことで、ポンプ動作を開始し、利用者の満足レベルに達するとストップスイッチを押し、ポンプ動作を停止させ、開栓することで排水する。以上の工程を利用者がすすぎが十分と思われる回数繰り返す。以上のように手動、自動どちらでも洗浄可能であるが、手動洗浄と、自動洗浄が混合していても良い。
【００３９】
また、図４の１回目の洗浄工程のみを自動で行う方法もある。洗濯機にそのまま入れて他の比較的汚れの少ない衣類と一緒に洗いたくないほど汚い衣類等の予洗いのために洗面器で手洗いすることは頻繁に行われている。そのような予洗いとして活用することができる。また、すすぎまで行いたいときは１回目の洗浄工程を繰り返せば良い。また１回の洗浄工程のみ行う予洗いモードと、洗いからすすぎまでの複数回の洗浄工程を行う標準モードが選択できるようにすることも可能である。また、１回目の洗浄工程のみを衣類を投入せずに実施することで、洗面ボールの洗浄にも使用することができる。また洗面ボールの洗浄にも洗剤を使用することが可能であるが、すすぎは衣類よりも簡単にできるため、すすぎ回数は衣類を洗浄する時と比較して少なくすることが望ましい。
【００４０】
次に本発明の吐水口５と吸引口６の望ましい設置位置について説明する。洗浄時の洗浄水より上方に設けられていると、衣類の上から吐水されることになり、衣類を浮かせる効果を得ることができず、逆に水圧により衣類を沈めてしまう。そのため吐水口５はオーバーフロー口７より下部に設けることで、洗浄水中に水没させることができ、洗面器４内に投入された衣類には下方から気泡混入水が吹き付けられることで、衣類を浮かせる効果をより高めることができる。また、吐水口を洗面ボールの垂直方向上方から吐水させた場合は衣類は水圧で洗面ボールの下部に沈んでしまい、垂直方向横から吐水させた場合は、水圧で洗面ボールの吐水口の逆側に押し付けられてしまうため効果的に衣類を回転させることが難しい。そこで、洗面ボールの円周方向に気泡混入水を吐水するように吐水口を設けることが望ましく、このことにより衣類に対して円周方向の力が加わり衣類を効率的に回転させることができる。また、衣類を浮かせる効果をより高めるためには衣類の底部に気泡が吹き込まれることが望ましく、洗面ボール上部に吐水口５を設ける時には円周方向でかつ下向きに吐水されるように、洗面ボールの下部に吐水口５を設ける場合には円周方向水平に吐水口５を設けるのが望ましい。また、吸引口６から洗面器４に投入された衣類が吸引され、引っかかってしまう問題が生じるため、吸引口６は吐水口５から気泡混入水が吐水される側で、かつ吐水口近傍に設けるのが望ましい。その結果、吐水口５から吐水される水圧により、衣類が吸引口６に引っかかるのを防止することが可能となる。また、吸引口６にフィルターを設けるのがより好ましい。
【００４１】
次に本実施の形態の気泡混入部について説明する。図６において２が吐水口、１１は気泡混入部、１５は空気混入口、１６は絞りであり、エジェクター構造になっている。ポンプにより循環している洗浄水は気泡混入部に達し、気泡混入部の入口には絞り１６が設けられているため、洗浄水の流速が急激に早くなる。その後再び流路を広げると、絞り近傍の配管壁面付近に負圧となる部分が生じ、その部分に気泡を混入できる空気混入口１５を設けることで、自然に空気が引き込まれ、洗浄水中に気泡を含有させることが可能となる。この結果、衣類洗浄時に洗浄水を循環する循環ポンプを動作させ、洗浄水を循環させるだけで、気泡混入水を生成することができる。また、エアポンプを用いて気泡を混入させる方法もある。図７において１７はエアポンプである。衣類洗浄時に洗浄水を循環するとともに、エアポンプ１７を作動することにより生成した気泡を循環経路中に設け、洗浄水に気泡を強制的に混入させることができる。また、気泡混入部は洗浄水を循環する循環ポンプの下流側であり、吐水口の手前に設けるのが望ましい。そうすることで、気泡を混入してすぐに気泡が混入された洗浄水が吐水されるため、気泡混入率の高い洗浄水を吐水可能となる。また、循環ポンプに気泡が巻き込まれることによる性能低下や騒音の発生を防止することができる。
【００４２】
次に、より洗浄性を高めるために衣類の回転を乱す方法について説明する。一定方向のみの力を加え続けても常に同じ方向にのみ回転するが、異なる方向の力を加えることによって、回転を乱すことができ、衣類が複雑に動き、衣類同士の接触や、洗面ボールとの接触により洗浄性を上げることができる。回転を乱す第一の方法はポンプを反転させる方法である。洗浄時間開始から規定時間開始後にポンプを反転させると、吐水口が吸引口に吸引口が吐水口に変わるため、吐水方向つまり衣類に加わる力の方向が変化し、衣類の回転を乱すことができる。この時、吐水口と吸引口の向きが同じ方向であると、衣類の乱れが少ないため、吐水口と吸引口を異なる方向に設けるのがより望ましい。また、ポンプを反転させたまま洗浄を行っても良いが、ポンプ反転後すぐにまた反転させ、逆回転は回転を乱すためだけに使用することも可能である。この場合、正逆同性能のポンプが必要ではなくなり、コストを削減することができる。
【００４３】
回転を乱す第二の方法は洗浄開始から規定時間経過後気泡混入率を変動させる方法である。気泡混入率を変えると、衣類を回転させる力と、衣類を浮かせる力が変わるため、衣類の回転を乱すことができる。気泡混入率を変化させる方法は、気泡混入部としてエジェクターを使用する場合と、エアポンプを使用する場合で異なってくる。エジェクターを使用する場合は図８において説明する。図８において、１８、１９は電磁弁である。図８のように流路を２つ設け、２つの流路にはそれぞれ絞りの径が異なるエジェクターを設け、洗浄開始から規定時間経過後使用する流路を切り替えることにより、気泡混入率を変動させることができる。エジェクターを使用する場合は、流量を変えることにより、気泡混入率が自動的に変動するため、ポンプの出力を変動させることで、気泡混入率を変えることもできる。
また、エアポンプを使用する場合は、洗浄水中に強制的に気泡を混入させているため、エアポンプの出力を変動させることで、気泡混入率を変えることができる。
【００４４】
回転を乱す第三の方法は吐水口を複数個設ける方法である。図９において、１５は気泡混入部、２は吐水口である。図のように吐水口を複数個設け、それらの吐水口を異なる方向に吐水できるように、異なる向きに向けると、衣類には複数の方向から力が加わり、衣類の回転を乱すことができる。図９のように片方の吐水口の手前にのみ気泡混入部を設けても良いし、両方の吐水口の手前に気泡混入部を設けても良いし、気泡混入部が分岐点の手前に設けられ、どちらの吐水口からも気泡混入水が吐水されるような構成であっても良い。また、この時吐水方向により、例えば、吐水口を２つ設け、１つは衣類を確実に回転させることを目的として、洗面ボールの円周方向下向きあるいは円周方向水平に吐水口を設け、１つは回転を乱すことを目的として、洗面ボールから略垂直方向に吐水口を設ける。この時、回転を目的とした吐水口から吐水される洗浄水により衣類を浮かす効果を得られているが、回転の乱れを目的とする吐水口を衣類を浮かせるための吐水口として利用することも可能である。この時衣類を回転させるための吐水口は円周方向下向きあるいは円周方向水平に、衣類を浮かせるための吐水口は洗面ボール下部から上方あるいは斜め上方に設けられるのが望ましく、この場合は衣類を浮かせるための吐水口の気泡混入率を高くするのが望ましい。また、電磁弁を設けて、吐水に利用する吐水口を切り替えて使用することもできる。この場合、吐水量を保ったまま、衣類の回転を乱す吐水をすることが可能となる。また、この時、衣類の回転を乱すための吐水口への吐水時間は非常に短時間で良い。
【００４５】
回転を乱す第四の方法は、洗面ボールに凹凸を設けることである。図１０において２０は凸部である。衣類を洗面ボール１に投入して、気泡混入水を吐水すると、衣類が洗面ボール１内で回転する。この時、凸部２０に衣類は当たり、回転の乱れを生じさせることが可能となる。また、この凸部２０は凹部としても同様の効果を得ることが可能となる。また、凹部凸部共に設けるのがより望ましい。また、気泡により、衣類を混入させて、衣類を浮かせることが可能であるため、凸部または凹部を洗面ボール１の底部に設けると、衣類が全く触れない可能性があるため、洗面ボール１の側面部あるいは側面下部に設けるのが望ましい。
【００４６】
次に第二の実施形態について添付図面を用いて説明する。図１１において、３０は電解槽、３１はハーネス、３２は電源である。通常塩素成分の含まれた水を電気分解すると、陽極では（１）、（２）式のような反応が起き、陰極では（３）式のような反応が起き、ｐＨ８〜９程度の弱アルカリ性の次亜塩素酸水を得ることができる。
２Ｃｌ−→Ｃｌ２＋２ｅ−          …（１）
Ｃｌ２＋Ｈ２Ｏ→ＨＣｌＯ＋ＨＣｌ  …（２）
２Ｈ２Ｏ＋２ｅ−→２ＯＨ２−＋Ｈ２  …（３）
また、通常洗面器に備えられた水栓から吐水される水道水には塩素成分が少量であるが含まれている。このため、衣類洗浄時に、電源３２を制御することで、電解槽３０に電圧を印可すると、洗浄水が電気分解され、前述したような反応が起き、洗浄水中に次亜塩素酸を含有させることが可能となる。また、この時食塩を入れることにより、塩素濃度を高めることが可能となり、より濃い濃度の次亜塩素酸水を洗浄水として利用することが可能となる。また、次亜塩素酸は高い漂白性能があるため、洗剤のみでは落ちにくい、色素系の汚れを落すことが可能となり、洗剤のみで洗浄する場合と比較して高い洗浄性を得ることができる。
【００４７】
また、前述した実施形態では、陽極で生成した陽極水と陰極で生成した電気分解後の電解水を陽極で生成する酸性水と、陰極で生成した陰極水とに分流できる構成にすると、酸性水、アルカリ水、次亜塩素酸水を使い分けることが可能となる。アルカリ水は油脂汚れの洗浄に効果があり、次亜塩素水は蛋白汚れの洗浄に効果があり、酸性水は殺菌作用があるため、この３種類の水を使い分けることにより、より高い衣類洗浄を実現することが可能となる。
【００４８】
次に第三の実施形態について添付図面を用いて説明する。図１２において、４０は上水栓、４１は排水栓であり、それぞれ電磁弁により制御できるようになっている。また、吸引口と吐水口を結ぶ循環経路と循環経路中に設けられるポンプ、気泡混入部は通常の洗面ボール利用時に不便とならないように洗面ボールの裏側に設けられている。給水に洗顔などをするための水栓を使用し、排水時は洗面ボールに設けられた排水口を利用すると、水栓に電磁弁などを設ける必要があり、実際の使用には不便となる問題や、自動で栓を開閉する時に衣類が挟まってしまう恐れがある。そのため、通常衣類が触れたり、利用者の不便とならない洗面ボールの裏側に設けられた循環経路に給水栓、排水栓を設け、通常使用には問題なく確実に給排水させることが可能となる。
【００４９】
【発明の効果】
本発明は、衣類を新たにスペースを取ることなく、自動で分け洗いができる洗面器の提供が可能となった。
【図面の簡単な説明】
【図１】洗面化粧台の正面図
【図２】第一の実施形態の正面図
【図３】第一の実施形態の正面断面図
【図４】第一の実施形態の正面断面図
【図５】第一の実施形態の動作フローを示すフローチャート
【図６】気泡混入部の正面断面図
【図７】気泡混入部の正面断面図
【図８】気泡混入部の正面断面図
【図９】吐水口を複数設けた形態を示す図
【図１０】凸部を設けた洗面器の正面断面図
【図１１】電解槽を設けた形態を示す図
【図１２】第三の実施形態の正面断面図
【符号の説明】
１…洗面化粧台、  ２…鏡、  ３…キャビネット、  ４…洗面器、  ５…吐水口、  ６…吸引口、  ７…オーバーフロー口、  ８…排水口、  ９…排水管、  １０…ポンプ、  １１…気泡混入部、  １５…空気混入口、  １６…絞り、１７…エアポンプ、  １８，１９…電磁弁、  ２０…凸部、  ３０…電解槽、３１…ハーネス、  ３２…電源、  ４０…給水栓、  ４１…排水栓、  １００…選択手段
【図１】
2004283282.tif 000003
【図２】
2004283282.tif 000004
【図３】
2004283282.tif 000005
【図４】
2004283282.tif 000006
【図５】
2004283282.tif 000007
【図６】
2004283282.tif 000008
【図７】
2004283282.tif 000009
【図８】
2004283282.tif 000010
【図９】
2004283282.tif 000011
【図１０】
2004283282.tif 000012
【図１１】
2004283282.tif 000013
【図１２】
2004283282.tif 000014